(57)【要約】【課題】室内から吊り天井を見上げたときの見栄えを向上するとともに、簡易な作業により容易に施工することができるようにする。【解決手段】構造躯体の下方に吊り下げられた、断面略Ｕ字形のランナーが格子状に組み付けられてなる支持部材と、四側辺部内に突面部が形成されてなる天井材とを備える。天井材は、突面部が下方へ折り曲げられ、この下方へ折り曲げられた部分をランナーの凹部内に差し入れて支持部材上に取り付ける。【選択図】図１
2020133130.tif 000002
【特許請求の範囲】
【請求項１】
構造躯体の下方に吊り下げられた、断面略Ｕ字形のランナーが格子状に組み付けられてなる支持部材と、側辺部に下方へ折れた突面部が設けられてなる天井材とを備え、
前記ランナーの凹部内に前記天井材の突面部が差し入れられて、天井材が支持部材上に取り付けられた構成を有することを特徴とする吊り天井の取り付け構造。
【請求項２】
天井材はその側辺部内に縁部から内方へ伸びた一対の切れ目が設けられ、この一対の切れ目の間の部分が下方へ折り曲げられた突面部としてランナーの凹部内に差し入れられる構成を有することを特徴とする請求項１に記載の吊り天井の取り付け構造。
【請求項３】
四側辺部にそれぞれ突面部が設けられた天井材が、支持部材の各格子区画部に取り付けられた構成を有することを特徴とする請求項１又は２に記載の吊り天井の取り付け構造。
【請求項４】
単位面積質量が２．０ｋｇ以下の天井材が用いられてなる請求項１から３の何れかに記載の吊り天井の取り付け構造。
【請求項５】
天井材が、主体繊維とバインダー繊維を含む繊維構造体の少なくとも一表面又は内部に不燃シートを積層してなる複合繊維構造体からなる請求項１から４の何れかに記載の吊り天井の取り付け構造。
【請求項６】
構造躯体から垂下した吊り材の下端に固定されたハンガーカプラーに支持部材が取り付けられ、前記ハンガーカプラーと支持部材との間に天井材を下方へ弾圧付勢する固定手段が設けられた構成を有することを特徴とする請求項１から５の何れかに記載の吊り天井の取り付け構造。
【請求項７】
固定手段は、天井材の表面に接するパッドと、このパッドの両端部間にアーチ状に架け渡した線状バネからなることを特徴とする請求項６に記載の吊り天井の取り付け構造。
【請求項８】
固定手段は、下端部に大径の天井材支持部を設けたコイルバネであることを特徴とする請求項６に記載の吊り天井の取り付け構造。
【請求項９】
突面部がランナーの凹部内に差し入れられた天井材と固定手段との間に、押さえ材が取り付けられた構成を有する請求項６から８の何れかに記載の吊り天井の取り付け構造。
【請求項１０】
構造躯体から垂下した複数の吊り材にハンガーカプラーをそれぞれ取り付け、取り付けられたハンガーカプラー間に、断面略Ｕ字形のランナーを縦横に架け渡し、格子状に組み付けて支持部材を形成する工程と、
四側辺内に下方へ折れた突面部がそれぞれ設けられてなる平面視方形状の天井材を、前記支持部材の各格子区画部に上方から被せて、各辺部の突面部をランナーの凹部内に差し入れて係合させるとともに、天井材の周辺部をランナーの凹部上に重ねて各格子区画部に取り付ける工程と、
前記支持部材のランナー同士が十字状に交差した部分に固定手段を取り付けて、天井材の隅角部を固定手段で固定する工程と、
を有して構造躯体の下方に吊り天井を取り付けることを特徴とする吊り天井の施工方法。
【発明の詳細な説明】
【技術分野】
【０００１】
本発明は、構造躯体の下方に支持部材を吊り下げ、この支持部材で天井面構成部材である天井材を支持して屋内の天井面を構成する吊り天井の取り付け構造に関する。
【背景技術】
【０００２】
地震が起きたときなどの天井材の脱落による危害の発生を防ぐため、有機繊維や無機繊維を用いて軽量に形成された天井材の利用が広まっている。
図２５は、かかる天井材を用いた吊り天井の設置態様を示している。同図に示されるように、天井材１００は、その周側辺部１００ａを、構造躯体（図示せず）の下方にハンガー１０１を介して吊り下げられた天井レール１０２の水平張り出し面１０２ａ上に載せるとともに、その縁部１００ｂを天井レール１０２の垂直面１０２ｂに折り重ね、ビス１０３で一体に留め付けて天井レール１０２，１０２間に固定されている（例えば特許文献１参照）。
【先行技術文献】
【特許文献】
【０００３】
【特許文献１】特開２０１６−１９６７６２号公報
【発明の概要】
【発明が解決しようとする課題】
【０００４】
図示した従来の設置態様にあっては、天井材１００はその側辺部を天井レール１０２の下端部の両側に突出した水平張り出し面１０２ａ上に載せて支持されるようになっているが、天井面を室内から見上げたときに、天井レール１０２の水平張り出し面１０２ａの幅の広さが目に付き、また、水平張り出し面１０２ａと天井材１００との段差が小さいため、輪郭がはっきりとしない起伏がなくのっぺりとした天井に見えるものであった。
また、天井材１００の縁部１００ｂを天井レール１０２にビス１０３で留め付ける作業がしにくく、施工に手間を要するという問題があった。
【０００５】
本発明は従来技術の有するこのような問題点に鑑み、吊り天井の天井材とこれを支持する支持材を、シャープで奥行感のあるすっきりとした印象を与える外観のものとして、室内から天井を見上げたときの見栄えをより良くするとともに、簡易な作業により施工することができるようにすることを課題とする。
【課題を解決するための手段】
【０００６】
前記課題を解決するため本発明の吊り天井の取り付け構造は、構造躯体の下方に吊り下げられた、断面略Ｕ字形のランナーが格子状に組み付けられてなる支持部材と、側辺部に下方へ折れた突面部が設けられてなる天井材とを備え、
前記ランナーの凹部内に前記天井材の突面部が差し入れられて、天井材が支持部材上に取り付けられた構成を有することを特徴とする。
【０００７】
これによれば、ランナーを格子状に組み付けて支持部材を構成し、天井材の側辺部の下方に折り曲げた突面部をランナーに差し入れるという簡易な作業で天井材を取り付けることができる。また、ランナーは幅の狭いものを用いることができ、支持部材上に天井材が取り付けられることで、天井面を、凹凸が表出した奥行感のある見栄えのよい外観のものに仕上げることが可能である。
【０００８】
前記構成の吊り天井の取り付け構造において、天井材として側辺部内に縁部から内方へ伸びた一対の切れ目が設けられた形態のものを用い、この天井材の前記一対の切れ目の間の部分を下方へ折り曲げられた突面部とし、これをランナーの凹部内に差し入れて取り付けるように構成することができる。
【０００９】
また、前記構成の吊り天井の取り付け構造において、天井材の四側辺部にそれぞれ突面部を設け、これを支持部材の各格子区画部に取り付けて構成することができる。
天井材の四側辺のうちの少なくとも対向二側辺、或いは隣接二側辺に突面部を設け、これらの突面部をランナーの凹部内に差し入れて、天井材を支持部材上に取り付けるようにしてもよい。
【００１０】
前記天井材は、単位面積質量が２．０ｋｇ以下の構成のものを用いることができる。
かかる構成のものとしては、例えば、主体繊維とバインダー繊維を含む繊維構造体の少なくとも一表面又は内部に不燃シートを積層してなる複合繊維構造体からなるものがあり、商品名「かるてん」（登録商標：帝人フロンティア株式会社）として販売されている繊維系不燃天井材の利用が好ましい。ガラス繊維などの他の不燃性材料により形成された天井材を用いてもよい。
【００１１】
また、前記構成の吊り天井の取り付け構造において、構造躯体から垂下した吊り材の下端に固定されたハンガーカプラーに支持部材が取り付けられ、前記ハンガーカプラーと支持部材との間に天井材を下方へ弾圧付勢する固定手段が設けられた構成とすることができる。
【００１２】
前記固定手段としては、天井材の表面に接するパッドと、このパッドの両端部間にアーチ状に架け渡した線状バネからなる構成のものや、下端部に大径の天井材支持部を設けたコイルバネを用いることができる。
【００１３】
さらに、突面部がランナーの凹部内に差し入れられた天井材と固定手段との間に、天井材のランナーとの取り付け部をランナーに沿って上方から押さえる押さえ材が取り付けられた構成としてもよい。
【００１４】
また、本発明の吊り天井の施工方法は、構造躯体から垂下した複数の吊り材にハンガーカプラーをそれぞれ取り付け、取り付けられたハンガーカプラー間に、断面略Ｕ字形のランナーを縦横に架け渡し、格子状に組み付けて支持部材を形成する工程と、
四側辺内に下方へ折れた突面部がそれぞれ設けられてなる平面視方形状の天井材を、前記支持部材の各格子区画部に上方から被せて、各辺部の突面部をランナーの凹部内に差し入れて係合させるとともに、天井材の周辺部をランナーの凹部上に重ねて各格子区画部に取り付ける工程と、
前記支持部材のランナー同士が十字状に交差した部分に固定手段を取り付けて、天井材の隅角部を固定手段で固定する工程と、
の各処理工程を経て構造躯体の下方に吊り天井を取り付けることを特徴とする。
【発明の効果】
【００１５】
本発明の吊り天井の取り付け構造によれば、構造躯体の下方に断面略Ｕ字形を呈するランナーを格子状に組み付けて支持部材を構成し、天井材の側辺部の下方に折り曲げた部分をランナーに差し入れるという簡易な作業で天井材を取り付けることが可能である。取り付けられた吊り天井は、表面に凹凸が表出した奥行感のある見栄えのよい外観のものに仕上げることが可能である。
【図面の簡単な説明】
【００１６】
【図１】本発明による吊り天井の一実施形態の概略構成を示した断面図である。
【図２】図１の支持部材を構成する部材の一つであるハンガーカプラーの外観図である。
【図３】ランナーを格子状に組み付けて支持部材を構成する工程を説明するための図である。
【図４】図１の天井材の外観図である。
【図５】図４の天井材の四側辺に設けた切れ目に沿って縁部を下方へ折り曲げた状態の外観図である。
【図６】（Ａ）は図５の天井材を支持部材のランナーに取り付ける操作を説明するための図、（Ｂ）はランナーの両側の天井材を取り付けた状態を示した断面図である。
【図７】支持部材の十字形にランナーが交差した部分に設置される固定手段の外観図である。
【図８】支持部材の縁部に設置される固定手段の外観図である。
【図９】構造躯体の下方に支持部材を吊り下げる工程を説明するための図である。
【図１０】支持部材に天井材を取り付ける工程を説明するための図である。
【図１１】図７の固定手段を設置した状態の外観図である。
【図１２】図７の固定手段を設置する工程を説明するための図である。
【図１３】天井材が取り付けられた支持部材の縁部に図８の固定手段を設置した状態の要部破断概略構成図である。
【図１４】天井材が取り付けられた支持部材の角部に図８の固定手段を設置した状態の要部破断概略構成図である。
【図１５】本発明の吊り天井の他の実施形態における、天井材が取り付けられた支持部材の十字形にランナーが交差した部分に固定手段を設置した状態の要部破断概略構成図である。
【図１６】図１５の概略構成断面図である。
【図１７】他の実施形態における、天井材が取り付けられた支持部材の縁部に固定手段を設置した状態の要部破断概略構成図である。
【図１８】図１７の概略構成断面図である。
【図１９】他の実施形態における天井材の外観図である。
【図２０】図１９の天井材の突面部を下方へ折り曲げた状態の要部拡大外観図である。
【図２１】図１９の天井材をランナーの両側に取り付けた状態を示した断面図である。
【図２２】（Ａ）は図１５及び図１６に示した押さえ材、（Ｂ）は図１７及び図１８に示した押さえ材の要部外観図である。
【図２３】図２２（Ｂ）に示した押さえ材を用いた天井材の取り付け構造の他の形態を示した概略構成断面図である。
【図２４】（Ａ）は天井材の側辺部に突面部を複数設けた態様、（Ｂ）は天井材に別部材を取り付けて突面部を形成する態様を示した図である。
【図２５】従来の吊り天井の一例の概略構成を示した断面図である。
【発明を実施するための形態】
【００１７】
本発明の好適な実施形態を図面に基づいて説明する。なお、本発明の技術的思想は、以下に説明する実施形態に限定されるものではない。
【００１８】
図１から図１８は本発明の一実施形態の吊り天井の構成を示している。
図１に示されるように、この吊り天井１は、構造躯体（図示せず）の下方にハンガーカプラー３を介して吊り下げられた支持部材２と、支持部材２上に取り付けられる天井材４と、天井材４を取り付け位置に固定するためにハンガーカプラー３と支持部材２の間に設置される固定手段５，６とを主要な部材として構成されている。
【００１９】
支持部材２は、断面略Ｕ字形を呈する鋼製の複数のランナー２１を、ハンガーカプラー３を介して格子状に組み付けて形成してある。
【００２０】
詳しくは、ハンガーカプラー３は、鋼板を折り曲げて形成されており、図２に示されるように、その主面部３１の上部に吊り材７の下端部が挿入される孔部３２ａを有する折れ片部３２を備え、主面部３１の下部に、ランナー２１内に挿入し得るように略Ｕ字形に折り返された折り返し面部３３を連ねて形成してある。主面部３１と折り返し面部３３には、後述するランナー２１の端部に形成されたスリット２１ａが係合するスリット３１ａ，３３ａとビスなどの留め具が挿入される孔部３１ｂ，３３ｂが形成してある。ハンガーカプラー３は、前記折れ片部３２の孔部３２ａに構造躯体から垂下した吊り材７の下端部を通し、折れ片部３２の上下両面をナットで締め付けて吊り材７に固定される。
【００２１】
ランナー２１は、前記吊り材７の配置間隔と略同じ長さのランナーとそれよりも長尺なランナーの二種類のランナーからなり、図３に示されるように、長尺なランナー２１を、吊り材７に固定されたハンガーカプラー３の下部に挿入し、当該ランナー２１の両側面に形成されたスリット２１ａと孔部２１ｂを、ハンガーカプラー３の主面部３１と折り返し面部３３に形成されたスリット３１ａ，３３ａと孔部３１ｂ，３３ｂとの位置を揃えた状態で、孔部２１ｂと孔部３１ｂ及び孔部２１ｂと孔部３３ｂにリベットなどの留め具（図示せず）を留め付けて一体に固定し、固定された長尺なランナー２１の両側から、短尺なランナー２１，２１をあてがい、その端部に形成されたスリット２１ａを、前記位置を揃えたスリット２１ａとスリット３１ａ及びスリット２１ａとスリット３３ａに、上方から差し込んで係合することで、ランナー２１を格子状に組み付けた支持部材２を構成することができる。
【００２２】
天井材４は、本形態では有機繊維や無機繊維を主要材料として単位面積質量が２．０ｋｇ以下の軽量に形成された化粧材が用いられ、前記支持部材２の縦横のランナー２１で区画された一つの格子区画部よりも、縦横の長さが若干大きな寸法で平面視正方形状に形成してある。
【００２３】
詳しくは、天井材４は、図４に示されるように、その四側辺部の中央部分に、適宜な間隔を開けて縁部から内方に伸びた一対の切れ目４１，４１が形成され、両切れ目４１，４１で区画された間の部分を、その周辺部４ｂよりも外方へ突出した突面部４ａとしてある。
【００２４】
そして、図５に示されるように、四側辺部の各切れ目４１，４１で区画された突面部４ａを下方へ垂直に折り曲げた状態で、支持部材２の格子区画部に天井材４を被せ、図６（Ａ）に示されるように、下方に折れた各辺部の突面部４ａを周辺のランナー２１の凹部内に差し入れて係合させることで、天井材４が支持部材２上に取り付けられるようになっている。
また、このとき、天井材４の周辺部４ｂがランナー２１の凹部上に重なり、図６（Ｂ）に示されるように、ランナー２１を挟んで隣接する前記格子区画部に取り付けられた天井材４，４の周辺部４ｂ，４ｂがともにランナー２１の凹部上に重なることで高い遮光効果が得られるようになっている。さらに、同図に示されるように、ランナー２１の凹部上で、隣接する天井材４，４の周辺部４ｂ，４ｂ同士が面一に連なるように接し、或いは隙間がほぼなくなる程度まで近づけて配置されることで、取り付けた天井材４が横ずれすることを防止し、当初の取り付け位置に保持することができるようになっている。
【００２５】
固定手段５は、図７に示されるように、合成樹脂製のパッド５１の対向端部間に線状バネ５２を架け渡して形成されており、支持部材２のランナー２１同士が十字状に交差した部分に設置してある。
【００２６】
詳しくは、パッド５１は、平面視円形乃至楕円形状を呈する板材であり、その側端部に縁部から当該パッドの中心を通って内方へ伸びたスリット５１ａが設けてあり、その上面全体には多数の凹部５１ｂを縦横に列設して軽量に形成してある。
線状バネ５２は、適宜な太さの線状鋼材をアーチ状に湾曲させて形成されたバネであり、その両端部５２ａ，５２ａをパッド５１の対向側端部に形成された穴部（図示せず）に挿入し係合させて、パッド５１の両側端部間に架設してある。線状バネ５２のアーチ状に湾曲した中央部分は、当該アーチ状に湾曲する軌跡とは逆方向に、弓形に緩やか湾曲させてある。また、線状バネ５２は、前記パッド５１の穴部に挿通した両端部５２ａ，５２ａを軸として回転自在となっており、不使用時には図７に示されるようにパッド５１の側方に倒して嵩張らずに保管することができ、使用時には、パッド５１の表面の上方に起立させることができるようになっている。また、線状バネ５２をパッド５１の裏面の上方に起立させて利用することで、パッド５１の表裏何れの面も後述する押圧部位として使用できるようになっている。
【００２７】
固定手段５は、図１１及び図１２に示されるように、支持部材２のランナー２１同士が十字状に交差した部分で、パッド５１のスリット５１ａにハンガーカプラー３の主面部３１を係入させて、支持部材２上に取り付けられた前記交差した部分の廻りの四枚の天井材４の各角部の表面にパッド５１を重ねて置いた状態で、パッド５１の上方に起立させた線状バネ５２を弾性変形させつつハンガーカプラー３の折れ片部３２の下面に係合させることで設置され、かかる設置状態で、線状バネ５２の弾性力によりパッド５１が下方へ押圧されてパッド５１が重なった前記各天井材４の角部にパッド５１から押圧力が加わり、パッド５１と支持部材２に挟まった前記各天井材４の角部を下方へ弾圧付勢して各天井材４を取り付け位置に固定することができるようになっている。
【００２８】
固定手段６は、図８に示されるようなコイルバネであり、支持部材２の縁部、つまりランナー２１同士がＴ字状に交差した、又はＬ字状に交差した部分に設置してある。
【００２９】
詳しくは、固定手段６のコイルバネは、そのコイル内径を前記吊り材７の外径よりも若干大きな寸法に設定して吊り材７の外周に装着することができるように形成されているとともに、その下端部に前記コイル内径よりも大きな径で湾曲した天井材支持部６１を設け、この天井材支持部６１の端部に下方折れ部６２を設けて形成してある。
【００３０】
固定手段６は、図１３及び図１４に示されるように、支持部材２の縁部において、ハンガーカプラー３の折れ片部３２の下方に突出した吊り材７の外周に装着して、その上端部を前記折れ片部３２の下部に係合させるとともに、全体を軸方向に圧縮させながら、その下端部の天井材支持部６１を支持部材２に取り付けられた天井材４の角部の表面に重ねることで設置される。天井材支持部６１の端部の下方折れ部６２は、ハンガーカプラー３の主面部３１と折り返し面部３３の間の空隙部に挿入される。かかる設置状態で、固定手段６であるコイルバネに軸方向に伸長する方向への弾性力が作用して、前記天井材支持部６１が重なった天井材４の角部を下方に押圧せしめることで、天井材４を取り付け位置に固定することができるようになっている。
【００３１】
これらの部材からなる本形態の吊り天井１は、例えば以下の手順により施工することができる。
【００３２】
先ず、構造躯体から垂下した各吊り材７にハンガーカプラー３を固定し、図９に示されるように、固定されたハンガーカプラー３間にランナー２１を縦横に架け渡し、格子状に組み付けて支持部材２を形成する。
【００３３】
次いで、図１０に示されるように、支持部材２の各格子区画部に上方から、前記図５に示された、四側辺部の各切れ目４１，４１で区画された突面部４ａを下方へ垂直に折り曲げた天井材４を被せ、下方に折れた各辺部の突面部４ａをランナー２１の凹部内に差し入れて係合させるとともに、天井材４の周辺部４ｂをランナー２１の凹部上に重ねて天井材４を各格子区画部に取り付ける。
【００３４】
支持部材２上に天井材４を取り付けたならば、図１１に示されるように、支持部材２のランナー２１同士が十字状に交差した部分に固定手段５を取り付けて天井材４を固定する。
固定手段５の取り付けは、図１２に示されるように、パッド５１の上方に線状バネ５２を立ち上げた状態で、パッド５１に形成されたスリット５１ａの先端にハンガーカプラー３の主面部３１を係入させ、そのまま、図中の矢符方向へパッド５１をスライドさせて、線状バネ５２をハンガーカプラー３の折れ片部３２の下側に弾性変形させつつ圧入することにより行うことができる。
【００３５】
そして、固定手段５を取り付けた後、或いは固定手段５の取り付けと並行して、図１３に示される、支持部材２のランナー２１同士がＴ字状に交差した部分と、図１４に示される、支持部材２のランナー２１同士がＬ字状に交差した部分に、固定手段６であるコイルバネを取り付けて天井材４を固定することにより吊り天井１の施工が完了する。
【００３６】
図１５から図２２は本発明の他の実施形態の吊り天井の構成を示している。
図示した形態の吊り天井１は、前記図４に示された、四側辺部に内方に伸びた一対の切れ目４１，４１を設け、両切れ目４１，４１で区画された間の部分の外方へ突出した突面部４ａが切れ目４１，４１に沿って下方へ折り曲げられるように形成された天井材４に代えて、図１９に示される、四側辺部に外方へ突出した突面部４ａを設け、この突面部４ａを下方へ折り曲げられるように形成された天井材４を用いたものである。また、前記下方へ折れた突面部４ａをランナー２１の凹部内に差し入れた支持部材２の各格子区画部に被せた天井材４の周辺部４ｂを、ランナー２１の凹部に沿って取り付けられた押さえ材８，９で下向きに押さえて、天井材４が支持部材２上に取り付けられるように構成したものである。
【００３７】
詳しくは、本形態の天井材４も前記形態と同様に有機繊維や無機繊維を主要材料として単位面積質量が２．０ｋｇ以下の軽量に形成された化粧材からなり、図１９に示されるように、前記支持部材２の縦横のランナー２１で区画された一つの格子区画部よりも、縦横の長さが若干大きな寸法で平面視正方形状に形成されているとともに、その四側辺部の中央部分に適宜な幅及び長さで外方へ突出した突面部４ａをそれぞれ設けて形成してある。そして、各突面部４ａは、その上面根元部に沿って点線状に切れ目が設けられ、図２０に示されるように、下方へ垂直に折り曲げることができるように形成してある。
【００３８】
天井材４は、前記形態と同様に、突面部４ａを下方へ垂直に折り曲げた状態で、支持部材２の格子区画部に被せ、下方に折れた各辺部の突面部４ａを周辺のランナー２１の凹部内に差し入れることで、支持部材２上に取り付けられるようになっている。
【００３９】
このとき、天井材４の周辺部４ｂがランナー２１の凹部上に重なり、図２１に示されるように、ランナー２１を挟んで隣接する前記格子区画部に取り付けられた天井材４，４の周辺部４ｂ，４ｂがともにランナー２１の凹部上に重なることで高い遮光効果が得られるとともに、ランナー２１の凹部上で、隣接する天井材４，４の周辺部４ｂ，４ｂ同士が面一に連なるように接し、又は隙間がほぼなくなる程度まで近づけて配置され、或いは後述する押さえ材８，９に当接するように配置することで、取り付けた天井材４が横ずれすることを防止し、当初の取り付け位置に保持することができるようになっている。
【００４０】
押さえ材８，９は、アルミニウムなどの軽量な鋼材又は合成樹脂材を用いて、前記支持部材２の縦横のランナー２１で区画された一つの格子区画部の一辺の長さと略同じ長さに形成されたアングル材である。
【００４１】
押さえ材８は、図２２（Ａ）に示されるように、断面Ｔ型のアングル材であり、その上面部８１を、ランナー２１を挟んで隣接する前記格子区画部に取り付けられた天井材４，４の周辺部４ｂ，４ｂ上に架け渡すとともに、その垂下面部８２をランナー２１の凹部内に差し入れられた突面部４ａ，４ａに当接させて取り付けられるようになっている（図１５及び図１６参照）。
【００４２】
また、押さえ材９は、同図（Ｂ）に示されるように、断面Ｌ型のアングル材であり、その上面部９１を支持部材２の縁部のランナー２１に取り付けられた天井材４の周辺部４ｂに重ね合わせるとともに、その折れ面部９２を当該ランナー２１の凹部内に差し入れられた突面部４ａに当接させて取り付けられるようになっている（図１７及び図１８参照）。
【００４３】
押さえ材８，９は、前記ランナー２１の凹部内に突面部４ａを差し入れた天井材４の周辺部４ｂに上面部８１，９１を重ね、且つランナー２１の凹部内に垂下面部８２，折れ面部９２を差し入れて支持部材２上に設置した状態で、その長手両端部が固定手段５又は固定手段６により下方へ弾圧付勢されることにより支持部材２上に固定される。押さえ材８，９が固定されることで天井材４の周辺部４ｂが押さえ材８，９により下方に押さえつけられ、これにより天井材４とランナー２１との間にできやすい隙間が完全に密閉されるようになっている。図２３に示されるように、ランナー２１を挟んで隣接する前記格子区画部に取り付けられた天井材４，４の周辺部４ｂ，４ｂ上に架け渡される押さえ材８に代えて、二つの押さえ材９，９を隣り合わせに配置して天井材４，４が押さえつけられるようにしてもよい。
【００４４】
これらの部材からなる本形態の吊り天井１は、例えば以下の手順により施工することができる。
【００４５】
先ず、前記形態と同様に、構造躯体から垂下した各吊り材７にハンガーカプラー３を固定し、固定されたハンガーカプラー３間にランナー２１を縦横に架け渡し、格子状に組み付けて支持部材２を形成する。
【００４６】
次いで、支持部材２の各格子区画部に上方から、前記図１９及び図２０に示された、四側辺部の設けた突面部４ａを下方へ垂直に折り曲げた天井材４を被せ、下方に折れた各辺部の突面部４ａをランナー２１の凹部内に差し入れるとともに、天井材４の周辺部４ｂをランナー２１の凹部上に重ねて天井材４を各格子区画部に取り付ける。
【００４７】
さらに、各格子区画部の各ランナー２１に沿って、天井材４に重なるようにして、押さえ材８と押さえ材９を取り付ける。
【００４８】
支持部材２上に天井材４と押さえ材８，９を取り付けたならば、図１５示されるように、支持部材２のランナー２１同士が十字状に交差した部分の押さえ材８の上面部８１に固定手段５のパッド５１を重ねて固定手段５を取り付け、パッド５１で押さえ材８及び天井材４を押さえつけて固定する。
【００４９】
そして、固定手段５を取り付けた後、或いは固定手段５の取り付けと並行して、図１７に示される、支持部材２のランナー２１同士がＴ字状に交差した部分と、支持部材２のランナー２１同士がＬ字状に交差した部分に、固定手段６であるコイルバネを取り付け、コイルバネで押さえ材９及び天井材４を押さえつけて固定することにより吊り天井１の施工が完了する。
【００５０】
なお、図示した吊り天井１の構成や固定手段５，６の形態、押さえ材８，９の形態は、本発明の実施形態の一例を示すものであり、本発明はこれに限定されず、他の適宜な形態で構成することが可能である。
天井材４の側辺部に設ける突面部４ａは、図２４（Ａ）に示されるように、各側辺に複数設けてもよい。また、天井材４とは別体に突面部４ａを形成し、同図（Ｂ）に示されるように、例えば合成樹脂材を用いて軽量なＬ字アングル材を突面部４ａとして形成し、これを天井材４ａの側辺部に接着などの固定手段を用いて一体に固定するようにしてもよい。
【００５１】
また、実施形態では、天井材４として有機繊維や無機繊維を主要材料として形成されたものを用いたが、適宜な不燃材料、例えばガラス繊維などを用いて軽量に形成されたシート材や布材などからなる天井材を用いてもよい。天井材４は、その形成材料や厚みなどによっては、曲げに対する反発力が大きく、切れ目４１，４１の間の部分や外方へ突出した突面部４ａを直角に折り曲げても元の位置に弾性回復することがある。その場合、前記折り曲げた部位をその曲げ位置に維持させるための加工、例えば天井材４の表面に、アルミニウム製のシートやフィルム、或いはその他の材料からなるシートやフィルムを貼り合わせるなどの、天井材のスプリングバッグ性を低下させるための加工を適宜に施すことで対応可能である。例えば前記図示した形態では、天井材４を支持部材２に取り付けたときに天井材４が構造躯体に向き合う側の面（図５における突面部４ａの折り曲げ方向とは逆側の面）にアルミニウム製のシートを貼り合わせることで天井材４の曲げに対する復元性を低下させることが可能である。
前記固定手段５，６に代えて、粘着テープなどを用いてもよい。
【符号の説明】
【００５２】
１  吊り天井、２  支持部材、２１  ランナー、３  ハンガーカプラー、４  天井材、５，６  固定手段、７  吊り材、８，９  押さえ材
【図１】
2020133130.tif 000003
【図２】
2020133130.tif 000004
【図３】
2020133130.tif 000005
【図４】
2020133130.tif 000006
【図５】
2020133130.tif 000007
【図６】
2020133130.tif 000008
【図７】
2020133130.tif 000009
【図８】
2020133130.tif 000010
【図９】
2020133130.tif 000011
【図１０】
2020133130.tif 000012
【図１１】
2020133130.tif 000013
【図１２】
2020133130.tif 000014
【図１３】
2020133130.tif 000015
【図１４】
2020133130.tif 000016
【図１５】
2020133130.tif 000017
【図１６】
2020133130.tif 000018
【図１７】
2020133130.tif 000019
【図１８】
2020133130.tif 000020
【図１９】
2020133130.tif 000021
【図２０】
2020133130.tif 000022
【図２１】
2020133130.tif 000023
【図２２】
2020133130.tif 000024
【図２３】
2020133130.tif 000025
【図２４】
2020133130.tif 000026
【図２５】
2020133130.tif 000027